(57)【特許請求の範囲】
【請求項１】
本体の流路に芳香剤,浴用剤等の錠剤を収容し、散水板の散水孔から溶解した錠剤が付与された湯水を吐出する錠剤付シャワーヘッドにおいて、前記本体の流路は貫通孔により一次室と二次室に仕切り、この貫通孔に装填部材を嵌挿し、装填部材は仕切板により湯水が通過する第１通路と第２通路に分割し、該第２通路の内周面に保持ケースを螺着させ、保持ケースの内側には錠剤とストレーナとを一体に組み付け、前記錠剤と散水板の間にストレーナを介在させたことを特徴とする錠剤付シャワーヘッド。
【請求項２】
前記ストレーナの湯水が通過する小孔は、散水板の散水孔より網目を細かく形成したことを特徴とする請求項１記載の錠剤付シャワーヘッド。
【発明の詳細な説明】
【０００１】
【発明の属する技術分野】
本発明は、芳香剤，浴用剤等の錠剤を収容して湯水に混合することのできるシャワーヘッドに関する。
【０００２】
【従来の技術】
従来、シャワーヘッドから吐出される湯水に芳香剤，浴用剤等の錠剤を混合することで、快適なシャワー水を楽しむことができるようにしたものとして実開平３−５１０８４号公報の第３図（本願図面の図４）のものがある。この図４について簡単に説明すると、シャワーホース３１とシャワーヘッド３２の間に介装可能としたアダプター本体３３に保持体３５の挿入孔３４を開口し、保持体３５は錠剤３８を嵌挿する保持凹部３６と通常水吐水用の凹部３７を開口し、つまみ３９の回転操作で湯水は溶解した錠剤３８を混入して、散水板４０に穿設した多数の散水孔４１から外部へ吐出される場合と、凹部３７を通過して錠剤３８は溶解しないようにした湯水を散水孔４１から外部へ吐出する場合に流路を切替えられるものである。
【０００３】
上記のシャワーヘッドでは錠剤は固型であり、湯水に触れると表面から徐々に溶解して小さくなるが、錠剤がある程度小さくなると溶解しにくくなり、粒状の錠剤は散水板の散水孔より大径のものもあり散水孔に付着して目詰まりしてしまい、散水孔から吐出されるシャワー水の吐水方向が不均一になり、その都度散水板をシャワーヘッドから取り外して頻繁に掃除をしなければならなかった。
【０００４】
【発明が解決しようとする課題】
本発明が解決しようとする課題は、芳香剤，浴用剤等の錠剤を湯水に付与して散水板の散水孔から吐出するシャワーヘッドにおいて、錠剤で散水板の散水孔が目詰まりすることがないようにすることである。
【０００５】
【課題を解決するための手段】
本発明は請求項１では、本体の流路に芳香剤,浴用剤等の錠剤を収容し、散水板の散水孔から溶解した錠剤が付与された湯水を吐出する錠剤付シャワーヘッドにおいて、前記本体の流路は貫通孔により一次室と二次室に仕切り、この貫通孔に装填部材を嵌挿し、装填部材は仕切板により湯水が通過する第１通路と第２通路に分割し、該第２通路の内周面に保持ケースを螺着させ、保持ケースの内側には錠剤とストレーナとを一体に組み付け、前記錠剤と散水板の間にストレーナを介在させたものである。
【０００６】
また請求項２では、前記ストレーナの湯水が通過する小孔は、散水板の散水孔より網目を細かく形成したものである。
【０００７】
【発明の実施の形態】
以下、本発明の実施の形態を図に基づいて詳細に説明する。
本発明は図１に示すように、シャワーヘッドの本体１は合成樹脂材料からなり、先端の頭部２には多数の散水孔４を環状に穿設した散水板３を数枚重ね合わせて取り付け、手で握るところである胴体部５の下方は水栓金具（図示省略）と接続するホース７との接続部６とし、胴体部５の内部に形成される流路８にホース７から湯水が供給され、散水板３の散水孔４から湯水はシャワー水として吐出されるものである。
【０００８】
前記胴体部５は図３に示すように、流路８の中途部で一次室９と二次室１０に仕切るように円筒状の隔壁１１を形成し、該隔壁１１は一次室９と連通する第１入口１２及び第２入口１３を並設して穿設し、さらに二次室１０と連通する第１出口１４及び第２出口１５を並設して穿設し、この隔壁１１により形成された貫通孔１６に円筒状の装填部材１７を嵌挿している。
【０００９】
前記装填部材１７は略中央の仕切板１８により図面中左右両側に第１通路１９と第２通路２０に分割し、該第２通路２０の内周面に形成した雌ねじ部２１には保持ケース２５の雄ねじ部２６を螺着させることができ、該雄ねじ部２６の内側には芳香剤，浴用剤等の固型の錠剤２７及び該錠剤２７の全体を覆うようにしてストレーナ２８を一体に組み付け、該ストレーナ２８の湯水が通過する多数の小孔２９は前記散水板３の散水孔４よりも網目を細かくしているので、散水板４へはストレーナ２８の小孔２９よりも細かく溶解した錠剤２７しか供給されず、散水孔４が目詰まりしないようにしている。
【００１０】
また、装填部材１７の周面には第１出口１４を開閉可能な第１弁体２２及び第２入口１３を開閉可能な第２弁体２３を形成し、図１に示すように第１弁体２２が第１出口１４を閉塞している場合は、一次室９を通過した湯水は第２通路２０で錠剤２７を溶解して混合しながらストレーナ２８、二次室１０を介して散水板３の散水孔４から外部へ吐出され、図２に示すようにつまみ２４の回転方向への操作で第２弁体２３が第２入口１３を閉塞している場合は、一次室９を通過した湯水は第１通路１９を経て、錠剤を付与しない通常の湯水を散水板３の散水孔４から外部へ吐出される。
【００１１】
上記構成において、洗顔や洗髪を溶解した錠剤が付与された湯水で行うには、図１に示すように隔壁１１の第１出口１４を装填部材１７の第１弁体２２により閉塞する。次に水栓金具からホース７に湯水が供給されると、湯水は隔壁１１の第２入口１３から装填部材１７の第２通路２０に流入し、芳香剤，浴用剤等の錠剤２７を溶解して小粒の錠剤が湯水と混合しながら第２出口１５、流路８の二次室１０を経て散水板３の散水孔４から外部へ吐出される。なお、この際溶解した錠剤２７のうちストレーナ２８の小孔２９より大粒に分解されたものは、ストレーナ２８に付着し、散水板３の散水孔４まで達することがない。
【００１２】
次に錠剤２７が付与されない湯水で洗顔や洗髪を行うには、図２に示すようにつまみ２４の操作で装填部材１７の第２弁体２３により隔壁１１の第２入口１３を閉塞し、流路８の一次室９と二次室１０を装填部材１７の第１通路１９により連通させると、湯水は錠剤２７を収容した第２通路２０を通過しないで散水板３の散水孔４から吐出される。
【００１３】
本発明は請求項１では、本体の流路に芳香剤,浴用剤等の錠剤を収容し、散水板の散水孔から溶解した錠剤が付与された湯水を吐出する錠剤付シャワーヘッドにおいて、前記本体の流路は貫通孔により一次室と二次室に仕切り、この貫通孔に装填部材を嵌挿し、装填部材は仕切板により湯水が通過する第１通路と第２通路に分割し、該第２通路の内周面に保持ケースを螺着させ、保持ケースの内側には錠剤とストレーナとを一体に組み付け、前記錠剤と散水板の間にストレーナを介在させたので、散水板の散水孔が溶解した錠剤で目詰まりすることがなく、常時安定したシャワー水を吐出することができる。
【００１４】
また請求項２では、前記ストレーナの湯水が通過する小孔は、散水板の散水孔より網目を細かく形成したので、散水孔よりも大粒の錠剤はストレーナを通過しないで付着しており、散水孔は目詰まりしないので、従来のように頻繁に散水板をシャワーヘッドの本体から取り外して散水板を掃除する必要がなく、使い勝手が良い。
【図面の簡単な説明】
【図１】シャワーヘッドの一部断面図で、錠剤を混合した湯水吐出時である。
【図２】シャワーヘッドの一部断面図で、通常の湯水吐出時である。
【図３】シャワーヘッドの分解説明図である。
【図４】従来技術の説明図である。
【符号の説明】
１                      本体
３                      散水板
４                      散水孔
８                      流路
２７                    錠剤
２８                    ストレーナ
２９                    小孔
【図１】
0004240596.tif 000002
【図２】
0004240596.tif 000003
【図３】
0004240596.tif 000004
【図４】
0004240596.tif 000005